(57)【特許請求の範囲】
【請求項１】
バック本体のリュックとして使用したとき使用者の背中に接する面に、外面側から開閉可能な大きな収納ポケットを設け、その収納ポケット内に折り畳まれたシート類を収納可能とし、
バック本体の表面側には小かばんが着脱可能に装着され、
第１のファスナーと第１の面ファスナーがバック本体の表面側に設けられ、
小かばんには、バック本体と対向する背面側上部にバック本体の第１のファスナーに連結可能な第２のファスナーを設けるとともに、上記背面側下部にバック本体の第１の面ファスナーと接続可能な第２の面ファスナーが設けられており、上記第２のファスナー及び第２の面ファスナーにより小かばんがバック本体に着脱可能としてあり、
バック本体の表面側に、第１の面ファスナーを覆うとともにバック本体の第１の面ファスナーに連結する第３の面ファスナーを有する揺動片が設けられていることを特徴とするマザーズバック。
【請求項２】
上記シート類はおむつ替え用シートであることを特徴とする、請求項１記載のマザーズバック。
【請求項３】
上記収納ポケットの蓋が、その上縁部から左右両側縁にわたって延びるファスナーによってバック本体に開閉可能に装着されていることを特徴とする、請求項１記載のマザーズバック。
【請求項４】
小かばんの背面側には、左右に連通するウエストベルト収納部が形成されており、そのウエストベルト収納部に上記小かばんのウエストベルトを挿入収納するようにしてあることを特徴とする、請求項１記載のマザーズバック。
【発明の詳細な説明】
【０００１】
【発明の属する技術分野】
本発明は、リュックとして使用可能なマザーズバックに関する。
【０００２】
【従来の技術及び発明が解決しようとする課題】
一般に、母親が乳幼児とともに外出する場合には、例えばおむつや哺乳瓶等の外出先において乳幼児にとって必要な物品を携帯する必要がある。そこで、上述のような乳幼児との外出時に必要なものを十分収納できるとともに、状況に応じてリュック、手提げ、或いはショルダー等として使用できるようにして携帯の便利化を図ったマザーズバックが開発されている。
【０００３】
ところで、従来のマザーズバックにおいては、リュックとして使用するときに使用者の背中への負担を軽減するために、一般に使用者の背中と接する面に特にクッション材が縫入されている。一方、上述のようなマザーズバックにおいては、外出先においておむつ交換をする時に乳幼児を寝かせて置くためのおむつ替え用シートが付属品として付いているものもあり、汚れたシートが他の収納物と一緒にならないように、バッグ本体の外側に上記シートを収納するための収納ポケットが設けられている。
【０００４】
ところが、このようなものにおいては上述のように使用者の背中と接する面に特にクッション材が縫入するとともに、バッグ本体の外側に上記シートを収納するための特別の収納ポケットを設ける必要がある等の問題がある。
【０００５】
本発明はこのような点に鑑み、汚れたシート類を収納物と一緒にならないように別の場所に収納するという衛生的な配慮をするとともに、上記シート類を使用者の背中への負担を軽減するクッション材としての役割をも兼用させるようにしたマザーズバックを得ることを目的とする。
【０００６】
【課題を解決するための手段】
請求項１に係る発明は、バック本体のリュックとして使用したとき使用者の背中に接する面に、外面側から開閉可能な大きな収納ポケットを設け、その収納ポケット内に折り畳まれたシート類を収納可能とし、バック本体の表面側には小かばんが着脱可能に装着され、第１のファスナーと第１の面ファスナーがバック本体の表面側に設けられ、小かばんには、バック本体と対向する背面側上部にバック本体の第１のファスナーに連結可能な第２のファスナーを設けるとともに、上記背面側下部にバック本体の第１の面ファスナーと接続可能な第２の面ファスナーが設けられており、上記第２のファスナー及び第２の面ファスナーにより小かばんがバック本体に着脱可能としてあり、バック本体の表面側に、第１の面ファスナーを覆うとともにバック本体の第１の面ファスナーに連結する第３の面ファスナーを有する揺動片が設けられていることを特徴とする。
【０００７】
請求項２に係る発明は、請求項１に係る発明において、上記シート類はおむつ替え用シートであることを特徴とする、請求項１記載のマザーズバック。
【０００８】
また、請求項３に係る発明は、請求項１に係る発明において、上記収納ポケットの蓋が、その上縁部から左右両側縁にわたって延びるファスナーによってバック本体に開閉可能に装着されていることを特徴とする。
【０００９】
【発明の実施の形態】
以下添付図面を参照して本発明の実施の形態について説明する。
【００１０】
図１は本発明のマザーズバックの斜視図、図２はその側面図であり、大かばんを構成するバック本体１には、その表面側、すなわちリュックとして使用したとき使用者の背中に接する面と反対側には、小かばん２が着脱可能に装着されている。上記バッグ本体１の上面部には左右方向に延びる開口が設けられており、その開口部には左右方向に両側面側まで延びるファスナー３が設けられ、そのファスナー３によって上記開口が開閉されるようにしてある。また上記バック本体１の上部には上記ファスナー３部を覆う蓋４が設けられており、その蓋４にはファスナー５により開閉される小物入れ６が設けられている。
【００１１】
バック本体１の背面側には背負いベルト７が設けられ、さらに背面側頂部には取っ手８が設けられている。しかして、バック本体１をリュックとして使用する場合には上記背負いベルト７により肩に背負うことができ、また上記取っ手８によってバック本体１を手提げとして使用することができる。
【００１２】
ところで、上記バック本体１には、図３に示すように、そのバック本体１をリュックとして使用する場合に使用者の背中に接する背面側に、ほぼその背面全面にわたるような大きさの収納ポケット１０が形成されている。上記収納ポケット１０にはその上縁部から左右両側縁に延びるファスナー１１が逆Ｕ字状に設けられており、上記ファスナー１１を外面側から操作することにより蓋１２を下方に拡げ、収納ポケット１０を大きく開口することができるようにしてある。そして、この収納ポケット１０内に、おむつ交換時に乳幼児を寝かせるための若干弾性を有する薄型のおむつ替え用シート１３を折り畳んだ状態で収納するようにしてある。
【００１３】
図４（ａ）は、上記おむつ替え用シート１３の展開状態を示す一部切り欠いた状態の図であって、おむつ替え用シート１３の上下両面１３ａ、１３ｂの間に発泡樹脂の如き弾性を有する薄板状の芯材１３ｃが挟持されており、おむつ交換時に乳幼児を寝かせるための若干弾性を有するようにしてある。
【００１４】
しかして、外出時において乳幼児のおむつを替える場合には、上記収納ポケット１０から上記おむつ替え用シート１３を取り出し、そのおむつ替え用シート１３を図４（ａ）のように拡げ、おむつ替え用シート１３の上に乳幼児を寝かせておむつを替える。一方、おむつの交換が終わったら上記おむつ替え用シート１３を例えば図４（ｂ）に示すように折り畳み、前記収納ポケット１０内に収納する。
【００１５】
このように、バック本体１の背面側に設けられた収納ポケット１０内におむつ替え用シート１３を折り畳んだ状態で収納するので、汚れたシートを他の収納物と一緒にならないようにすることができ、衛生上の問題を解決することができる。しかも、バック本体１の使用者の背中に接する背面に弾性を有するおむつ替え用シート１３が折り畳んだ状態で収納されているので、そのおむつ替え用シート１３がクッション材として作用し、バック本体１内に収納されている物品による背中への負担が軽減され、リュックとして使用する場合の快適性を持たせることができる。
【００１６】
また、バック本体１の表面側には、前述のように小かばん２が着脱可能に設けられており、図５に示すように上記小かばん２を取り外した状態で使用することもできる。この図５に示すように、バック本体１の表面側下部には小ポケット１４が設けられており、その小ポケット１４の上部が横方向に延びるファスナー１５により開閉可能としてある。上記小ポケット１４の下部には、上方に折り返し可能な揺動片１６が設けられており、その揺動片１６と小ポケット１４の外面との互いに対向する面に一対の面ファスナー１７ａ、１７ｂが装着されている。
【００１７】
したがって、上述のように小かばん２を取り外した状態の場合には、上記揺動片１６を下方に倒し、その揺動片１６により面ファスナー１７ａ、１７ｂを互いに連結し、両面ファスナー１７ａ、１７ｂを覆う。
【００１８】
一方、上記小かばん２には、図６に示すように大かばんを構成するバック本体１と対向する背面側上部に、前記小ポケット１４のファスナー１５に連結可能なファスナー１８が設けられており、背面側下部には前記バック本体１の面ファスナ１７ｂと接続可能な面ファスナー１９が設けられ、さらに上面に図７に示すように開閉用ファスナー２０が設けられている。また、上記小かばん２には、ウエストベルト２１が設けられており、小かばん２をバック本体１から取り外してウエストバックとして使用することができるようにしてある。
【００１９】
小かばん２には、さらにその背面側に左右に連通するウエストベルト収納部２２が形成されており、小かばん２をウエストバックとして使用しない場合にウエストベルト２１を上記ウエストベルト収納部２２に左右から挿入して収納するようにしてある（図６）。
【００２０】
しかして、上記小かばん２をバック本体１に装着する場合には、ウエストベルト２１を上記ウエストベルト収納部２２に左右から挿入して収納した状態で、ファスナー１８をバック本体１の小ポケット１４に設けられたファスナー１５に接続することにより小かばん２をバック本体１に連結するとともに、面ファスナー１９をバック本体１側の面ファスナ１７ｂに装着することにより、小かばん２の固定を行うことができる。
【００２１】
このようにして、小かばん２を必要に応じてバック本体１に着脱し、リュックとして或いは手提げ等として使用することができ、また、小かばん２は取り外して公園や買い物などのちょっとした出かけ時にウエストバックとして使用することができる。
【００２２】
【発明の効果】
以上説明したように、本発明は、リュックとして使用したとき使用者の背中に接する面に、外面側から開閉可能な大きな収納ポケットを設け、その収納ポケット内に折り畳まれたおむつ替え用シートの如きシート類を収納可能としたので、汚れたシート類を他の収納物と別の収納箇所に収納することができ、衛生面での配慮を行うことができるとともに、上記収納ポケットに収納したシート類の弾性を利用してバック本体１内に収容した品物による背中への負担を軽減でき、収納ポケットに収納したシート類にクッション材としての役割を兼用させることができ、従来のクッション材を省略することができる等の効果を奏する。
【図面の簡単な説明】
【図１】本発明のマザーズバックの斜視図。
【図２】本発明のマザーズバックの側面図。
【図３】バック本体の背面の収納ポケットを一部開放した状態を示す図。
【図４】おむつ替え用シートを示す図であり、（ａ）は展開状態で一部切り欠いて示す図、（ｂ）は折り畳み状態の一例を示す図。
【図５】小かばんを取り外した状態のマザーズバックの斜視図。
【図６】小かばんの背面図。
【図７】ウエストバックとして使用可能状態とした小かばんの斜視図。
【符号の説明】
１  バック本体
２  小かばん
６  蓋
７  背負いベルト
８  取っ手
１０  収納ポケット
１１  ファスナー
１２  蓋
１３  おむつ替え用シート
【図１】
0003970637.tif 000002
【図２】
0003970637.tif 000003
【図３】
0003970637.tif 000004
【図４】
0003970637.tif 000005
【図５】
0003970637.tif 000006
【図６】
0003970637.tif 000007
【図７】
0003970637.tif 000008